(57)【要約】      （修正有）【課題】安定した状態で設置でき、結束バンドを確実に掛け回すことができる運搬用支持台を提供する。【解決手段】運搬用支持台１は、デッキボード２と、前記デッキボード２の一側面に立設した背板３と、前記デッキボード２の下面に突設した１つ以上の脚部４とからなる運搬用支持台１において、デッキボード２の背板３とは反対側の一部を延長した延長部２３を設け、前記延長部２３を介して補助脚部５を突設し、前記延長部２３の下面にはデッキボード２下面の脚部４と補助脚部５との間に凹部を形成したことを特徴とする。デッキボード２下面の脚部４と補助脚部５とは、デッキボード２の両端部のみでもよいし、デッキボード２の両端部とともに中央部にも設けてもよい。デッキボード２の両端部の脚部４に連結する部分に、背板３とは反対側が開口した凹部を設ける。【選択図】図１
2014084124.tif 000002
【特許請求の範囲】
【請求項１】
デッキボードと、前記デッキボードの一側面に立設した背板と、前記デッキボードの下面に突設した１つ以上の脚部とからなる運搬用支持台において、
デッキボードの背板とは反対側の一部を延長した延長部を設け、前記延長部を介して補助脚部を突設し、前記延長部の下面にはデッキボード下面の脚部と補助脚部との間に凹部を形成したことを特徴とする運搬用支持台。
【請求項２】
デッキボード下面の脚部と延長部を介する補助脚部とを、デッキボードの両端部に設けたことを特徴とする請求項１に記載の運搬用支持台。
【請求項３】
デッキボード下面の脚部と延長部を介する補助脚部とを、デッキボードの両端部とともに中央部にも設けたことを特徴とする請求項１又は２に記載の運搬用支持台。
【請求項４】
デッキボード両端部の脚部に連結する部分に、背板とは反対側が開口した凹部を設けたことを特徴とする請求項１〜３のいずれか１項に記載の運搬用支持台。
【請求項５】
延長部の下面に補強リブを設けたことを特徴とする請求項１〜４のいずれか１項に記載の運搬用支持台。
【請求項６】
デッキボードの全部又は一部が桟によって格子状に形成したとを特徴とする請求項１〜５のいずれか１項に記載の運搬用支持台。
【請求項７】
背板には複数の透孔を設けるとともに、外面側に補強リブを突設したことを特徴とする請求項１〜５のいずれか１項に記載の運搬用支持台。
【発明の詳細な説明】
【技術分野】
【０００１】
この発明は、荷物、品物等の運搬、保管時に使用される運搬用支持台に係わり、特にカートン等のスキッド梱包に好適な運搬用支持台に関するものである。
【背景技術】
【０００２】
従来、荷物の運搬、保管には、運搬用パレットやスキッドなどの運搬用支持台が使用されている。例えば、運搬用パレットには、大きさの異なる多くの種類の荷物が積載される。また、箱のように一定の大きさの荷物の場合には、最も効率よく積載するために大小複数種類の運搬用パレットを備えておく必要がある。このために、運搬用パレットを保管するために広いスペースを必要とし、コストアップにもなっていた。
【０００３】
また、１種類の大きさで異なる複数の種類の荷物を載置できる運搬用支持台として、特表２００５−５３８９０９号公報に記載されている載置用レッジがある。この載置用レッジは、実質的Ｌ字形状の断面を形成する上部脚及び下部脚を備え、前記下部脚は１つ以上の突部を一体的に形成してなる。
【０００４】
このような載置用レッジは、上部脚を外側にして２つを対向させ、単位荷物の底部端部を載置して使用するように形成されている。そして、単位荷物を載置すると、下部脚は上部脚とは反対側、即ち内側に傾き易い。そこで、使用時に品物に対してぴったりと保持するように、下部脚の自由端部、即ち外側端部は僅かに上方に傾斜して形成されている。
【０００５】
そして、載置用レッジ及び載置した荷物をバンド等で結束することにより一体化される。このようにして一体化された単位荷物は、フォークリフト又はパレットトラック等の使用が可能になる。
【先行技術文献】
【特許文献】
【０００６】
【特許文献１】特表２００５−５３８９０９号公報
【発明の概要】
【発明が解決しようとする課題】
【０００７】
上記特表２００５−５３８９０９号公報記載の載置用レッジは、２つの載置用レッジを平行に並べて荷物の底部端部を載置するものであるから、荷物の大きさによって２つの載置用レッジの間隔を調整すればよい。２つの載置用レッジの間隔を調整することによって、大小複数種類の荷物に対応することができる。
【０００８】
しかしながら、載置用レッジ及び載置した荷物をバンド等で結束する際に、バンド等は対向させた載置用レッジの間、即ち載置用レッジの上部脚の外側を巻回して結束することになる。前記載置用レッジの長手方向の側面には、載置した荷物を係止する係止部は設けられておらず、バンドを巻回することもできないから、載置した荷物が運搬中の振動や衝撃等によって載置用レッジからずれるおそれがある。
【０００９】
また、上記載置用レッジは、荷物を載置した際にぴったりと保持するように、下部脚の外側端部は僅かに上方に傾斜して形成されているから、荷物を載置するときにまず傾斜部が当接することになり、載置用レッジ自体が動くおそれがある。
【００１０】
また、２つの載置用レッジを対向させて荷物を載置する際に、荷物の大きさによって２つの載置用レッジの間隔を調整しなければならないが、２つの載置用レッジの間隔寸法を正確に調整し、しかも平行に並べることが難しいという問題がある。
【００１１】
この発明はかかる現況に鑑みてなされたもので、大小複数種類の荷物を載置できるだけでなく、載置して一体化した単位荷物が振動や衝撃によってもずれることのない運搬用支持台を提供することを目的とする。また、この発明は、荷物の底部端部が正確に載置できるように、２つの載置用レッジの間隔寸法を調整して平行に並べることができるとともに、荷物を載置するときにも動くことがない運搬用支持台を提供することを目的とする。
【課題を解決するための手段】
【００１２】
この発明に係る運搬用支持台は、デッキボードと、前記デッキボードの一側面に立設した背板と、前記デッキボードの下面に突設した１つ以上の脚部とからなる運搬用支持台において、デッキボードの背板とは反対側の一部を延長した延長部を設け、前記延長部を介して補助脚部を突設し、前記延長部の下面にはデッキボード下面の脚部と補助脚部との間に凹部を形成したことを特徴とする。
デッキボード下面の脚部と延長部を介する補助脚部とは、デッキボードの両端部に設けることができる。補助脚部は、デッキボードの両端部とともに中央部にも設けてもよい。
【００１３】
また、デッキボード両端部の脚部に連結する部分に、背板とは反対側が開口した凹部を設けることができる。また、前記延長部の下面には、補強リブを設けることが好ましい。デッキボードは、全部又は一部を桟によって格子状に形成してもよい。また、背板には、複数の透孔を設けるとともに、外面側に補強リブを突設してもよい。
【発明の効果】
【００１４】
この発明に係る運搬用支持台は、上記のように構成したので次のような効果を奏することができる。運搬用支持台は、デッキボードの一部を延長した延長部を介して補助脚部を設けたので、運搬用支持台自体が安定した状態で自立し、荷物を正確に載置することができる。また、補助脚部を設けたことにより脚部との間に凹部が形成されるから、前記凹部をバンド掛として利用することができ、結束バンドを前後左右、或いは斜め方向に自由に掛け回すことができる。
【００１５】
さらに、デッキボードの両端部に凹部を設けたので、前記凹部に所定長さの定規板を掛け渡すことにより、並列させた運搬用支持台の間隔を正確に調整することができる。また、定規板を掛け渡したまま荷物を載置すれば定規板は補強材ともなり、一層堅牢にバンドを掛け渡すことができる。
【図面の簡単な説明】
【００１６】
【図１】一実施形態を示す平面図である。
【図２】図１の右半分を示す拡大平面図である。
【図３】同じく図１の右半分を示す拡大正面図である。
【図４】同じく図１の右半分を示す拡大背面図である。
【図５】同じく図１の右半分を示す拡大底面図である。
【図６】図２の右側面図である。
【図７】図２におけるＡ−Ａ線断面図である。
【図８】図２におけるＢ―Ｂ線断面図である。
【図９】図２におけるＣ―Ｃ線断面図である。
【図１０】他の実施形態の右側半分を示す平面図である。
【図１１】一部を省略した使用例を示す斜視図である。
【発明を実施するための形態】
【００１７】
以下に、この発明の実施形態を図面に基づいて説明する。運搬用支持台１は、荷物を載置するデッキボード２と、荷物の側面に当接する背板３と、前記デッキボード２の下面の両端部と中央部に設けた脚部４及び補助脚部５によって形成されている。
【００１８】
前記デッキボード２は、所定の長さ寸法と幅寸法に形成されており、例えば、長さ寸法は５００ｍｍ〜１０００ｍｍ、幅寸法は１５０ｍｍ〜２００ｍｍとすることができる。デッキボード２は、平面において縦横の桟２１によって格子状に形成されているとともに、両端部の脚部４に連結する部分は、桟２１を形成することなく底板を設けた凹部２２とされている。
【００１９】
デッキボード２を桟２１によって格子状に形成することによって、曲げ強度が増大するとともに、載置した荷物の滑り止めとしても作用する。また、桟２１の形成によって成形後の熱収縮による変形を防止することができる。なお、前記実施形態では桟２１の間は貫通しているが、桟２１の下面に底板を設け、或いは上面に上板を設けて閉じてもよい。また、桟２１を省略して平滑な板に滑り止め層を形成してもよい。滑り止め層は、一体成形、塗布又は貼着等によって形成することができる。
【００２０】
前記凹部２２は、外方が背板３によって閉じられ、両側が桟２１及び脚部の周壁によって閉じられ、内側（背板３とは反対側）を開口することによって形成されている。前記凹部２２を形成することによって、対向させた２つの運搬用支持台１の間の距離寸法を正確に決定することができる。
【００２１】
即ち、凹部２２は、デッキボード２の両端部側にそれぞれ設けられているので、２つの運搬用支持台１を対向して並列させたとき、前記凹部２２間に所定長さの定規板等を掛け渡すことによって間隔を正確に決めることができるとともに、平行に配置することができる。また、掛け渡した定規板をそのままにして荷物を載置した場合には、２つの運搬用支持台１を連結する補強材として使用することもできる。
【００２２】
次に、背板３について説明する。背板３の内側面（デッキボード２側の面）は平滑面に形成されているが、外側面（デッキボード２とは反対側の面）は、枠リブ３１と縦リブ３２によって補強されており、縦リブ３２の間には横長の透孔３３が上下に形成されている。透孔３３を形成することによって、減量化と材料費の節約になるばかりでなく、成型時の変形が防止され滑り止め効果も得られる。
【００２３】
上記背板３の長さ寸法は、図示する実施形態では、デッキボードの長さ寸法と同じとしたが、デッキボードの長さよりは短くすることもできる。背板３の高さ寸法は特に限定されるものではないが、例えば、５ｍｍ〜１５０ｍｍとすることができる。また、背板３の上端は水平ではなく、波形又は凹凸状に形成してもよい。
【００２４】
なお、上記背板３の縦リブ３２及び透孔３３の両方又はいずれか一方を省略することは可能であり、前記透孔３３の間に水平な横リブを設けて縦リブとともに格子状に形成してもよい。
【００２５】
前記脚部４は、デッキボード下面の中央部に突設した脚部４１と両端部に突設した脚部４２とからなる。前記脚部４１，４２は、いずれも上面が開口したコップ状脚部に形成されている。前記脚部４１は、脚部４２よりも大きく形成されており、両端部の脚部４２側と内側に面する周壁は、上方に向かって外方に傾斜している。
【００２６】
また、前記脚部４２は、背板３側を除く三面を脚部４１と同様に上方に向かって外方に傾斜している。このように、脚部４１，４２の上面を開口させ周壁を傾斜させることによって、ネスティング積み重ねが可能になる。さらに、脚部４１と脚部４２の底部には、水抜き孔として１つ以上の透孔４１ａ、４２ａが穿設されている。
【００２７】
前記脚部４１，４２には、それぞれ補助脚部５が併設されている。前記補助脚部５は、デッキボード２の背板３側とは反対側に延長した延長部２３を介して突設されている。前記延長部２３は、デッキボード２の上面と同一面に形成されている。
【００２８】
補助脚部５の四周の側壁は、脚部４１，４２と同様に、上方に向かって外方に傾斜している。このように、上面を開口させ側壁を傾斜させることによって、ネスティング積み重ねが可能になる。一方、補助脚部５は、底面に大きな透孔５１ａが形成されており、全体として略筒状に形成されている。補助脚部５を設けることにより、背板３がない前方に倒れることがなく運搬用支持台１を安定した状態で自立させることができる。
【００２９】
前記補助脚部５は、脚部４１，４２との間に所定の間隔を開けて突設されており、脚部４１及び脚部４２と補助脚部５との間は底面において凹部５３が形成されることになる。前記補助脚部５と脚部４１及び補助脚部５と脚部４２との間は、デッキボードを延長した延長部２３によって連結されており、前記延長部２３の下面、即ち脚部４１と補助脚部５及び脚部４２と補助脚部５の間の下面には凹部５３が形成される。前記延長部２３と凹部５３を載置した荷物を一体的に結束するときのバンド掛部２５とすることができる。
【００３０】
バンド掛部２５の幅寸法、即ち、脚部４１と補助脚部５及び脚部４２と補助脚部５の間の寸法は、使用するバンドの幅寸法よりも大きく形成されている。バンドは、脚部４１と補助脚部５及び脚部４２と補助脚部５の間の下面に形成された凹部５３から、デッキボードの長さ方向に通して荷物に巻回される。
【００３１】
前記バンド掛部２５の下面には、図５に示すように、脚部４１と補助脚部５を連結する補強リブ５５が設けられている。また、前記脚部４２と補助脚部５との間の下面には、前記補強リブ５５とともに、外側面には、前記補強リブ５５と直交する補強リブ５６とデッキボード２及び延長部２３の外面と同一面となる垂直板５７が一体に設けられている。
【００３２】
上記のように、バンド掛部２５を補強リブ５５によって補強することにより、バンドを強く締め付けることができる。特に、脚部４２と補助脚部５との間のバンド掛部２５の外面側に補強リブ５６と垂直板５７を設けたので、バンドを強く締め付けてもデッキボード２及び延長部２３を損傷することがない。
【００３３】
前記脚部４１と補助脚部５、及び脚部４２と補助脚部５とを前後に並列して設けることにより、バンド掛部２５を形成することができるばかりでなく、補助脚部５をデッキボード２の側面から突出して設けることにより、脚部全体として大きく形成することができる。従って、デッキボード２は、全体として水平に設置することができ、荷物を載置するときにも安定しており運搬用支持台自体が動くことがない。
【００３４】
なお、図示する実施形態では、脚部をデッキボード２の中央部と両端部に設けたが、デッキボードの長さや載置する荷物の重量によって適宜変更することは可能であり、脚部は１個以上であればよい。
【００３５】
図１０は、デッキボード２の中央部における補助脚部５１を省略した第２実施形態を示す。デッキボードの中央部における補助脚部５を省略した以外は、上記実施形態と同様であるから同一構成については同一符号を付してその説明は省略する。この実施形態においても、中央部において延長部２３を設けることが好ましい。延長部２３を設けることによって、バンド掛部２５とすることができ、バンドの荷物への当接を防止することができる。
【００３６】
図１０に示す第２実施形態においても、中央部の脚部４１を省略することは可能であり、また、中央部に限らず、補助脚部を省略した脚部を複数設けてもよい。デッキボードの長さや載置する荷物の重量によって、補助脚部を省略した脚部と補助脚部を連設した脚部を交互に設けてもよい。
【００３７】
図１１は運搬用支持台１の使用例を示し、、運搬用支持台１に荷物Ｎを載置してバンドにより結束した単位荷物の一部を示す斜視図である。運搬用支持台１がデッキボード２を内側に向けて対向するように配置し、荷物の底部端部を背板３に当接させて載置する。載置された荷物は、バンド５Ａ，５Ｂによって運搬用支持台１と一体的に結束される。
【００３８】
バンド５Ａを運搬用支持台１の背板３の外面からデッキボード２の下面に通して、対向する運搬用支持台１とともに、荷物を一体的に結束する。さらに、この発明では、デッキボードの一部を延長した延長部２３を介して脚部４１，４２と並列させた補助脚部５を設けることにより、底面に凹部５３を形成し、凹部５３の上部をバンド掛部２５としたから、バンド５Ｂを通して荷物と一体的に結束することができるとともに、斜めにも掛け渡すことができる。前記バンド５Ａ、５Ｂは、バンド掛部２５に係止して強く締め付けられる。
【００３９】
なお、バンドで締め付ける際には、荷物のエッジ部にエッジ保護具５Ｃをバンドの下に介在させることが好ましい。特に、荷物が、カートン、ダンボール箱等の変形し易い材質の場合には、エッジ保護具５Ｃを設けることが箱の変形や損傷を少なくする上で重要である。
【００４０】
なお、図１１に示すように、運搬用支持台１の両端部と載置する荷物の側面とは同一面とすることが好ましいが、運搬用支持台１の両端面が荷物の側面より内側となり、或いは外側となる場合があることは勿論である。
【００４１】
このように、この発明の運搬用支持台１は、脚部と補助脚部とにより脚部全体として底面に少なくとも１つ以上の凹部を形成したから、バンドを縦横に架けて締め付けることができ、載置した荷物が運搬中の振動や衝撃等によってずれるおそれがない。また、バンド掛部２５外面側に補強リブ５６と垂直板５７を設けたので、バンドをきつく締め付けてもデッキボード２や延長部２３を損傷することがなく、一層強固に締め付けることができる。
【符号の説明】
【００４２】
１：運搬用支持台
２：デッキボード
３：背板
４：脚部
２１：桟
２２：凹部
２３：延長部
２５：バンド掛部
３１：枠リブ
３２：縦リブ
３３：透孔
４１：中央部脚部
４２：両端部脚部
５１：補助脚部
５３：凹部
５５：補強リブ
５６：補強リブ
５７：垂直板
【図１】
2014084124.tif 000003
【図２】
2014084124.tif 000004
【図３】
2014084124.tif 000005
【図４】
2014084124.tif 000006
【図５】
2014084124.tif 000007
【図６】
2014084124.tif 000008
【図７】
2014084124.tif 000009
【図８】
2014084124.tif 000010
【図９】
2014084124.tif 000011
【図１０】
2014084124.tif 000012
【図１１】
2014084124.tif 000013